(57)【要約】      （修正有）【課題】持ち運び及び取り扱いが容易で、使用時簡単に半袈裟状に展開して着用することが可能な袈裟を提供する。【解決手段】薄状の矩形の用紙に所定の縦の切り込み１１，１２及び横の切り込み１５，１６，１７が入れられ、所定の縦あるいは横の折返し線ｂ１、ｂ２、ｂ３，ａ１，ａ２で横方向あるいは縦方向に折り返すことによって、首に掛け肩から垂れ下がる切り込み展開形式の簡易な袈裟が得られる。【選択図】図４
0003185361.tif 000002
【実用新案登録請求の範囲】
【請求項１】
切り込み展開形式の簡易な袈裟であって、該袈裟は矩形の薄状の用紙からなり、
一方の短辺（Ｘ１）の中央部を基部（Ｂ）とし、
他の短辺（Ｘ２）から基部（Ｂ）の中央部迄延びる２本の第１の縦の切り込み（１１）が入れられ、
基部（Ｂ）の両側部から、他方の短辺（Ｘ２）から所定の距離離間した位置まで延びる2本の第２の縦の切込み（１２）が入れられ、
各第２の切り込み（１２）の両端から離間した位置で対向する長辺（Ｙ）に向かって長辺（Ｙ）から所定の距離離間した位置まで延びる第１及び第２の横の切込み（１５，１６）が入れられている、
第１及び第２の横の切り込み（１５，１６）の間の各長辺（Ｙ）の位置から第１及び第２の横の切り込み（１５，１６）の近接端部を超え第２の縦の切り込みから所定の距離離間した位置迄延びる第３の横の切り込み（１７）が入れられている、切り込み展開形式の簡易な袈裟。
２本の第１の縦の切込み（１１）によって形成され、かつ第１の縦の折返し線（ａ１）を介して基部に繋がる後背部（１）が形成され、
第１の縦の切り込み（１１）と第２の縦の切込み（１２）と第１及び第２の折返し線（ａ１、ａ２）とによって形成され基部（Ｂ）に繋がる１対の側部（２）が形成され、
第１の横の切り込み（１５）の端部から第３の横の切り込み（１７）まで延びる第１の縦の折返し線（ｂ１）と、第３の横の切り込み（１７）の端部から第１の横の切り込み（１６）まで延びる第２の縦の折返し線（ｂ２）と、第２の横の切り込み（１６）の端部から対向する短辺（Ｘ１）まで延びる縦の折返し線（ｂ３）とを備えることを特徴とする、切り込み展開形式の簡易な袈裟。
【請求項２】
用紙の一方の側の第１、第２及び第３の縦の折返し線（ｂ１、ｂ２、ｂ３）で側部（２）の横外方に位置する外方部（４，５，６）を横方向に折返して、側部（２）に続く階段形状の幅広部（３）、幅広部（３）に繋がる第１の下方部（４）、第１の下方部（４）に繋がる第２の下方部（５）、第２の下方部（５）に繋がる第３の下方部（６）を形成し、
さらに用紙の他の側の第１、第２及び第３の縦の折返し線（ｂ１、ｂ２、ｂ３）で側部（２）の横外方に位置する外方部（４，５，６）を横方向に折返して、側部（２）に続く階段形状の幅広部（３）、幅広部（３）に繋がる第１の下方部（４）、第１の下方部（４）に繋がる第２の下方部（５）、第２の下方部（５）に繋がる第３の下方部（６）を形成し、
中央部１と側部２とを横の折返し線ａ２で上方に折返しすることによって形成されることを特徴とする、請求項１に記載の袈裟。
【請求項３】
前記矩形の薄状の用紙は、サイズをXL = 奉書紙、LL = A3サイズの用紙、L  = B4サイズの用紙、M = A4サイズの用紙、S = B5サイズの用紙、SS = A5サイズの用紙からなる群から選択されることを特徴とする、請求項１又は２に記載の袈裟。
【請求項４】
前記基部の幅は、通常の体格の人の首の幅位の幅とされている請求項１乃至３のいずれかに記載の袈裟。
【考案の詳細な説明】
【技術分野】
【０００１】
本考案は、神社等に詣でて祈りの儀式を行う際に、首に掛けて肩から前方に垂らして着用する、切り込み展開形式の袈裟に関し、半袈裟形状で用いることができるものである。
【背景技術】
【０００２】
幣束は主に注連縄、幣串、祓え串、榊等に吊設又は幣台に安置して、仏事、神事、祭礼、祈祷、正月飾り等に使用されるが、弊束は奉書紙や半紙その他の和紙等の紙や布を用いて、奉書紙両端から左右交互に平行な切り込みを入れ、切り込みに従って紙を折返し展開させて形成される。
【０００３】
図８（ａ）と図８（ｂ）はこのような幣束を示す（特許文献１）。この弊束では、端の切り掛け部から順次左右に折り返すことによって一方の端から他方の端に屈曲部が繋がった弊束を得ている。この弊束を注連縄に吊るしたり、複数の弊束を棒の一端に固定して幣串としたり、お供え物の上で一対の弊束の一端を固定し下に垂らして用いる。神社等で祈りを捧げる時に半袈裟を着用するが、衣装の上から掛けて半袈裟の代わりとなるような簡易な被着物は従来なかった。
【先行技術文献】
【特許文献】
【０００４】
【特許文献１】特開２００６−２１２１２９号公報
【考案の概要】
【考案が解決しようとする課題】
【０００５】
本考案は、神社等で祈りを捧げる時に、衣装の上から首に掛けて半袈裟の代わりとなるような切り込み展開形式の簡易な袈裟を提供することを目的とする。
【課題を解決するための手段】
【０００６】
本考案は、切り込み展開形式の簡易な袈裟であって、該袈裟は矩形の薄状の用紙からなり、
一方の短辺（Ｘ１）の中央部を基部（Ｂ）とし、
他の短辺（Ｘ２）から基部（Ｂ）の中央部迄延びる２本の第１の縦の切り込み（１１）が入れられ、
基部（Ｂ）の両側部の各々から他方の短辺（Ｘ２）に向けて、他方の短辺（Ｘ２）から所定の距離離間した位置まで延びる2本の第２の縦の切込み（１２）が入れられ、
各第２の切り込み（１２）の両端から離間した位置（Ｐ、Ｓ）で対向する長辺（Ｙ）に向かって長辺（Ｙ）から所定の距離離間した位置まで延びる第１及び第２の横の切込み（１５，１６）が入れられ、
第１及び第２の横の切り込み（１５，１６）の間の各長辺（Ｙ）の位置から第１及び第２の横の切り込み（１５，１６）の近接端部を超え第２の縦の切り込みから所定の距離離間した位置迄延びる第３の横の切り込み（１７）が入れられ、
２本の第１の縦の切込み（１１）によって形成され、かつ第１の縦の折返し線（ａ１）を介して基部に繋がる後背部（１）が形成され、
第１の縦の切り込み（１１）と第２の縦の切込み（１２）と第１及び第２の折返し線（ａ１、ａ２）とによって形成され基部（Ｂ）に繋がる１対の側部（２）が形成され、
第１の横の切り込み（１５）の端部から第３の横の切り込み（１７）まで延びる第１の縦の折返し線（ｂ１）と、第３の横の切り込み（１７）の端部から第２の横の切り込み（１６）まで延びる第２の縦の折返し線（ｂ２）と、第２の横の切り込み（１６）の端部から対向する短辺（Ｘ１）まで延びる第３の縦の折返し線（ｂ３）とを備えることを特徴とする、切り込み展開形式の簡易な袈裟である。
【０００７】
本考案に係る切り込み展開形式の簡易な袈裟の展開形状は、用紙の一方の側の第１、第２及び第３の縦の折返し線（ｂ１、ｂ２、ｂ３）で側部（２）の横外方に位置する外方部（４，５，６）を横方向に折返して、側部（２）に繋がる階段形状の幅広部（３）、幅広部（３）に繋がる第１の下方部（４）、第１の下方部（４）に繋がる第２の下方部（５）、第２の下方部（５）に繋がる第３の下方部（６）を形成し、
さらに用紙の他の側の第１、第２及び第３の縦の折返し線（ｂ１、ｂ２、ｂ３）で側部（２）の横外方に位置する外方部（４，５，６）を横方向に折返して、側部（２）に続く階段形状の幅広部（３）、幅広部（３）に繋がる第１の下方部（４）、第１の下方部（４）に繋がる第２の下方部（５）、第２の下方部（５）に繋がる第３の下方部（６）を形成し、
中央部１と側部２とを横の折返し線ａ２で上方に折返しすることによって形成することができる。
なお、上記展開方法は、先に中央部１と側部２とを横の折返し線ａ２で上方に折返し、次に外方部（４，５，６）を横方向に折返して、幅広部（３）、第１の下方部（４）、第２の下方部（５）、第３の下方部（６）を形成をする方法も含むものとする。その他、最終的に半袈裟の代わりとなるような切り込み展開形式の簡易な袈裟が得られればよい。
【考案の効果】
【０００８】
本考案の袈裟は、薄状の矩形の用紙に所定の縦の切り込み（１１，１２）及び横の切り込み（１５，１６，１７）が入れられ、所定の縦あるいは横の折返し線（ｂ１、ｂ２、ｂ３；ａ１，ａ２）で横方向あるいは縦方向に折り返すことによって、首に掛け肩から垂れ下がる切り込み展開形式の簡易な袈裟が得られる。
【０００９】
用紙の横方向の長さ及び横の切り込みの長さを長くしたり、短くしたりすることによって袈裟の全体の幅を広くしたり、狭くしたりすることができる。
また、収納時、あるいは持ち歩き時は展開させずに矩形の薄状の用紙の形とし、使用時に簡単な方法で縦及び横の折返し線で縦方向あるいは横方向に折り返すことによって、首に掛け肩から垂れ下がる切り込み展開形式の簡易な袈裟が得られる。
さらに、横の折返し線と縦の折返し線とを設けたので、横方向の折り返しと縦方向の折り返しをそれぞれ行うことによって、縦方向に折り返す回数を減らすことが出来、袈裟を形成する作業を簡便化することができる。
側部の下方に幅広部が繋がっているので、幅広部に家紋等を入れることにより装飾効果を高めることができる。
また、参拝した神社の神社印を幅広部あるいは下方部に押印することもできる。
【図面の簡単な説明】
【００１０】
【図１】図１は、本考案の一実施態様に係る袈裟を首に掛け肩から垂らした状態を示す正面図である。
【図２】図２は、本考案の一実施態様に係る袈裟を首に掛け肩から垂らした時の背面図である。
【図３】図３は、本考案の袈裟を構成する矩形形状の用紙に１対の第１の切込み、１対の第２の縦の切込み、第１、第２、第３の横の切込みが入れられた状態を示す。
【図４】図４は、図３に示す本考案の袈裟を構成する矩形形状の用紙にさらに第１及び第２の横の折り返し線、第１、第２及び第３の縦の折り返し線をいれた状態を示す。
【図５】図５は、右側の外方部を縦の折返し線で順次外側に折返し下方部を外方に段階的に形成した図である。
【図６】図６は、さらに左側の外方部を縦の折返し線で順次外側に折返し下方部を外方に段階的に形成した図である。
【図７】図７は、中央部と側部とを横の折返し線で上方に折返した図である。
【図８】図８ａと図８ｂは従来の幣束を示す。
【考案を実施するための形態】
【実施例１】
【００１１】
図１及び第２図は、  本考案の一実施態様に係る袈裟を首に掛け肩から垂らした時の正面図及び背面図である。神社等に詣でて祈りの儀式を行う際に半袈裟を用いるが、本考案の切り込み展開形式の袈裟は簡易半袈裟として用いることができることが分かる。
【００１２】
図２乃至図７は、本考案の袈裟を構成する矩形形状の薄状の用紙を用いて切り込み展開形式の袈裟の作成方法を示す。なお、「薄状の用紙」は、「紙」に切り込み及び折り返し線を入れてもよいし、金属(アルミホイル・金箔など)、布(絹・麻・綿など)、薄木片(経木・竹の皮・鉋で削った薄木片)、皮(セーム皮・鞣革など)、プラスチック・ビニール・セロハン・セルロイドなどを用いても良く、上記切り込み及び折り返し線を入れて袈裟が作れるものであれば、広く種々の材料を用いることができる。
【００１３】
一方の短辺（Ｘ１）の中央部を基部（Ｂ）とし、他の短辺（Ｘ２）から基部（Ｂ）の中央部迄延びる２本の第１の縦の切り込み（１１）が入れられ、基部（Ｂ）の両側部の各々から他方の短辺（Ｘ２）に向けて、他方の短辺（Ｘ２）から所定の距離離間した位置まで延びる2本の第２の縦の切込み（１２）が入れられている。
また、各第２の切り込み（１２）の両端から離間した位置（Ｐ，Ｓ）で対向する長辺（Ｙ）に向かって長辺（Ｙ）から所定の距離離間した位置まで延びる第１及び第２の横の切込み（１５，１６）が入れられている。
さらに、第１及び第２の横の切り込み（１５，１６）の間の各長辺（Ｙ）の位置Tから第１及び第２の横の切り込み（１５，１６）の近接端部を超え第２の縦の切り込みから所定の距離離間した位置迄延びる第３の横の切り込み（１７）が入れられている。
【００１４】
２本の第１の縦の切込み（１１）によって形成され、かつ第１の縦の折返し線（ａ１）を介して基部に繋がる後背部（１）が形成され、第１の縦の切り込み（１１）と第２の縦の切込み（１２）と第１及び第２の折返し線（ａ１、ａ２）とによって形成され基部（Ｂ）に繋がる１対の側部（２）が形成されている。本願では、折返し線は予め印刷等して表示しておくことができる。あるいは、別紙で当該位置を折返し線として説明をしても良い。
第１の横の切り込み（１５）の端部から第３の横の切り込み（１７）まで延びる第１の縦の折返し線（ｂ１）と、第３の横の切り込み（１７）の端部から第１の横の切り込み（１６）まで延びる第２の縦の折返し線（ｂ２）と、第２の横の切り込み（１６）の端部から対向する短辺（Ｘ１）まで延びる縦の折返し線（ｂ３）とがある。
【００１５】
図５に示すように、用紙右側の第１、第２及び第３の縦の折返し線（ｂ１、ｂ２、ｂ３）で側部（２）の横外方に位置する外方部（４，５，６）を横方向に折返して、側部（２）に続く階段形状の幅広部（３）、幅広部（３）に繋がる第１の下方部（４）、第１の下方部（４）に繋がる第２の下方部（５）、第２の下方部（５）に繋がる第３の下方部（６）を形成する。
【００１６】
さらに、図６に示すように、用紙左側の第１、第２及び第３の縦の折返し線（ｂ１、ｂ２、ｂ３）で側部（２）の横外方に位置する外方部（４，５，６）を横方向に折返して、側部（２）に続く階段形状の幅広部（３）、幅広部（３）に繋がる第１の下方部（４）、第１の下方部（４）に繋がる第２の下方部（５）、第２の下方部（５）に繋がる第３の下方部（６）を形成する。
【００１７】
図７に示すように、中央部１と側部２とを横の折返し線ａ２で上方に折返しすることによって、本考案の第１の実施態様の袈裟が完全に展開した形状とされる。図１と図２に示すように  袈裟を首に掛け肩から側部２、下方部３，４，５，６を垂らし、一方中央部１を後背部に垂らすことによって、本考案の袈裟を簡易な半袈裟として使用することができる。
【００１８】
本考案の第１の実施態様では、下方部を３つ設けたが、４つ以上の下方部を設けることもできる。また、それぞれの下方部の幅及び高さも変化させることができる。また、子供から力士のように大柄な人用に、サイズをXL = 奉書紙(体の大きい相撲の力士など)、LL = A3サイズの用紙、L  =  B4サイズの用紙、M = A4サイズの用紙、S = B5サイズの用紙、SS = A5サイズの用紙から袈裟を作成することが可能である。
【００１９】
本考案の切り込み展開形式の簡易な袈裟は、予め矩形の薄状の用紙に縦及び横の切り込み線及び折返し線を印刷し、切り込み線に沿って切り込みを入れ、折返し線で折り返すようにすることができる。切り込みは、はさみ、カッター等の適当な切断具を用いることによって形成できる。あるいは、切り込み線に対応して線状の貫通溝を有する両面マスクを用いて、その間に複数枚の矩形の薄状の用紙を入れた状態で貫通溝に沿って切り込みを入れてもよい。
【産業上の利用可能性】
【００２０】
本考案に係る袈裟は、神社等に詣でる際に畳んだ状態で携帯をして、あるいは神社等で購入して、祈りの儀式を行う時展開させて半袈裟状に首に掛けて肩から前方に垂らし、中央部を後背部に垂らして着用することができるので、産業上の利用可能性は大きい。
【符号の説明】
【００２１】
１・・・中央部、２・・・側部、３・・・幅広部、４，５，６・・・下方部、１１、１２・・・第１、第２の縦の切り込み、１５，１６，１７・・・第１、第２、第３の横の切り込み、ａ１、ａ２・・・第１、第２の横の折返し線、ｂ１、ｂ２、ｂ３・・・縦の折返し線、Ｂ・・・基部、Ｘ１，Ｘ２・・・短辺、Ｙ・・・長辺
【図１】
0003185361.tif 000003
【図２】
0003185361.tif 000004
【図３】
0003185361.tif 000005
【図４】
0003185361.tif 000006
【図５】
0003185361.tif 000007
【図６】
0003185361.tif 000008
【図７】
0003185361.tif 000009
【図８】
0003185361.tif 000010
【手続補正書】
【提出日】平成25年6月7日(2013.6.7)
【手続補正１】
【補正対象書類名】実用新案登録請求の範囲
【補正対象項目名】請求項１
【補正方法】変更
【補正の内容】
【請求項１】
切り込み展開形式の簡易な袈裟であって、該袈裟は矩形の薄状の用紙からなり、
一方の短辺（Ｘ１）の中央部を基部（Ｂ）とし、
他の短辺（Ｘ２）から基部（Ｂ）の中央部迄延びる２本の第１の縦の切り込み（１１）が入れられ、
基部（Ｂ）の両側部から、他方の短辺（Ｘ２）から所定の距離離間した位置まで延びる2本の第２の縦の切込み（１２）が入れられ、
各第２の切り込み（１２）の両端から離間した位置で対向する長辺（Ｙ）に向かって長辺（Ｙ）から所定の距離離間した位置まで延びる第１及び第２の横の切込み（１５，１６）が入れられ、
第１及び第２の横の切り込み（１５，１６）の間の各長辺（Ｙ）の位置から第１及び第２の横の切り込み（１５，１６）の近接端部を超え第２の縦の切り込みから所定の距離離間した位置迄延びる第３の横の切り込み（１７）が入れられ、
２本の第１の縦の切込み（１１）によって形成され、かつ第１の縦の折返し線（ａ１）を介して基部に繋がる後背部（１）が形成され、
第１の縦の切り込み（１１）と第２の縦の切込み（１２）と第１及び第２の折返し線（ａ１、ａ２）とによって形成され基部（Ｂ）に繋がる１対の側部（２）が形成され、
第１の横の切り込み（１５）の端部から第３の横の切り込み（１７）まで延びる第１の縦の折返し線（ｂ１）と、第３の横の切り込み（１７）の端部から第１の横の切り込み（１６）まで延びる第２の縦の折返し線（ｂ２）と、第２の横の切り込み（１６）の端部から対向する短辺（Ｘ１）まで延びる縦の折返し線（ｂ３）とを備えることを特徴とする、切り込み展開形式の簡易な袈裟。